(57)【要約】【課題】収納される電池の特性に適した撮影を行わせることを目的とする。【解決手段】電子カセッテに収容された蓄電池の特性を電子カセッテで検出し、該検出結果を取得して（２００）、動画撮影用蓄電池が収容されている場合には動画撮影を促す表示を行い、静止画撮影用蓄電池が収容されている場合には静止画撮影を促す表示を行う（２０２〜２０６）。続いて撮影指示が行われた場合には、蓄電池の特性に適した撮影に切り替えて撮影を行う（２０８、２１０）。【選択図】図７
2013130539.tif 000002
【特許請求の範囲】
【請求項１】
電源として電池が収容可能とされ、照射された放射線に応じた画像を撮影する放射線画像撮影手段と、
前記放射線画像撮影手段に収容された前記電池の特性を検出する検出手段と、
前記検出手段によって検出された前記電池の特性が動画撮影に適した特性の場合に動画撮影に適していることを報知し、前記電池の特性が静止画撮影に適した特性の場合に静止画撮影に適していることを報知する報知手段と、
を備えた放射線画像撮影装置。
【請求項２】
前記検出手段は、前記電池の特性として、静止画撮影に適した予め定めた高出力型の特性であるか、または動画撮影に適した予め定めた高容量型の特性であるかを検出する請求項１に記載の放射線画像撮影装置。
【請求項３】
撮影開始を指示するための指示手段と、前記指示手段によって撮影開始が指示された場合に、前記検出手段によって検出された前記電池の特性が動画撮影に適した特性の場合に動画撮影を行い、前記検出手段によって検出された前記電池の特性が静止画撮影に適した特性の場合に静止画撮影を行うように、前記放射線画像撮影手段を制御する制御手段と、を更に備えた請求項１又は請求項２に記載の放射線画像撮影装置。
【請求項４】
静止画撮影または動画撮影を指示するための指示手段と、前記検出手段によって検出された前記電池の特性に適した撮影が前記指示手段によって指示された場合に前記指示手段によって指示された撮影を許可し、前記検出手段によって検出された前記電池の特性に適さない撮影が前記指示手段によって指示された場合に前記指示手段によって指示された撮影を禁止するように、前記放射線画像撮影手段を制御する制御手段と、を更に備えた請求項１又は請求項２に記載の放射線画像撮影装置。
【請求項５】
静止画撮影または動画撮影を指示するための指示手段と、前記検出手段によって検出された前記電池の特性に適した撮影が前記指示手段によって指示された場合に前記指示手段によって指示された撮影を許可し、前記検出手段によって検出された前記電池の特性に適さない撮影が前記指示手段によって指示された場合に前記放射線動画撮影手段による撮影能力を低下して前記指示手段によって指示された撮影を行うように、前記放射線画像撮影手段を制御する制御手段と、を更に備えた請求項１又は請求項２に記載の放射線画像撮影装置。
【請求項６】
前記制御手段は、前記検出手段によって検出された前記電池の特性に適さない撮影が前記指示手段によって指示された場合に、前記指示手段によって指示された撮影に適した前記電池への交換を報知するように、前記報知手段を更に制御する請求項４に記載の放射線画像撮影装置。
【請求項７】
前記電池は、放射線画像撮影手段の撮影結果を記憶する記憶手段を更に備えた請求項１〜６の何れか１項に記載の放射線画像撮影装置。
【請求項８】
請求項１〜６の何れか１項に記載の放射線画像撮影装置と、
被検体を介して前記放射線検出器に放射線を照射する放射線照射手段と、
を備えた放射線動画撮影システム。
【請求項９】
照射された放射線に応じた画像を撮影する放射線画像撮影手段の電源として収容された電池の特性を検出する検出ステップと、
前記検出ステップで検出した前記電池の特性が動画撮影に適した特性の場合に動画撮影に適していることを報知し、前記電池の特性が静止画撮影に適した特性の場合に静止画撮影に適していることを報知する報知ステップと、
を含む放射線画像撮影方法。
【請求項１０】
前記検出ステップは、前記電池の特性として、静止画撮影に適した予め定めた高出力型の特性であるか、または動画撮影に適した予め定めた高容量型の特性であるかを検出する請求項９に記載の放射線画像撮影方法。
【請求項１１】
撮影開始を指示するための指示手段によって撮影開始が指示された場合に、前記検出ステップで検出した前記電池の特性が動画撮影に適した特性の場合に動画撮影を行い、前記検出ステップで検出した前記電池の特性が静止画撮影に適した特性の場合に静止画撮影を行うように、前記放射線画像撮影手段を制御する制御ステップと、を更に含む請求項９又は請求項１０に記載の放射線画像撮影方法。
【請求項１２】
前記検出ステップで検出した前記電池の特性に適した撮影が、静止画撮影または動画撮影を指示するための指示手段によって指示された場合に、前記指示手段によって指示された撮影を許可し、前記検出ステップで検出した前記電池の特性に適さない撮影が前記指示手段によって指示された場合に前記指示手段によって指示された撮影を禁止するように、前記放射線画像撮影手段を制御する制御ステップと、を更に含む請求項９又は請求項１０に記載の放射線画像撮影方法。
【請求項１３】
前記検出ステップで検出した前記電池の特性に適した撮影が、静止画撮影または動画撮影を指示するための指示手段によって指示された場合に前記指示手段によって指示された撮影を許可し、前記検出ステップで検出した前記電池の特性に適さない撮影が前記指示手段によって指示された場合に前記放射線動画撮影手段による撮影能力を低下して前記指示手段によって指示された撮影を行うように、前記放射線画像撮影手段を制御する制御ステップと、を更に含む請求項９又は請求項１０に記載の放射線画像撮影方法。
【請求項１４】
前記制御ステップは、前記検出ステップで検出した前記電池の特性に適さない撮影が前記指示手段によって指示された場合に、前記指示手段によって指示された撮影に適した前記電池への交換を報知するように、前記報知ステップを更に制御する請求項１２に記載の放射線画像撮影方法。
【請求項１５】
照射された放射線に応じた画像を撮影する放射線画像撮影手段の電源として設けられた電池の特性を検出する検出ステップと、
前記検出ステップで検出した前記電池の特性が動画撮影に適した特性の場合に動画撮影に適していることを報知し、前記電池の特性が静止画撮影に適した特性の場合に静止画撮影に適していることを報知する報知ステップと、
を含む処理をコンピュータに実行させるための放射線画像撮影プログラム。
【請求項１６】
前記検出ステップは、電池の特性として、静止画撮影に適した予め定めた高出力型の特性であるか、または動画撮影に適した予め定めた高容量型の特性であるかを検出する請求項１５に記載の放射線画像撮影プログラム。
【請求項１７】
撮影開始を指示するための指示手段によって撮影開始が指示された場合に、前記検出ステップで検出した前記電池の特性が動画撮影に適した特性の場合に動画撮影を行い、前記検出ステップで検出した前記電池の特性が静止画撮影に適した特性の場合に静止画撮影を行うように、前記放射線画像撮影手段を制御する制御ステップと、を更に含む請求項１５又は請求項１６に記載の放射線画像撮影プログラム。
【請求項１８】
前記検出ステップで検出した前記電池の特性に適した撮影が、静止画撮影または動画撮影を指示するための指示手段によって指示された場合に、前記指示手段によって指示された撮影を許可し、前記検出ステップで検出した前記電池の特性に適さない撮影が前記指示手段によって指示された場合に前記指示手段によって指示された撮影を禁止するように、前記放射線画像撮影手段を制御する制御ステップと、を更に備えた請求項１５又は請求項１６に記載の放射線画像撮影プログラム。
【請求項１９】
前記検出ステップで検出した前記電池の特性に適した撮影が、静止画撮影または動画撮影を指示するための指示手段によって指示された場合に前記指示手段によって指示された撮影を許可し、前記検出ステップで検出した前記電池の特性に適さない撮影が前記指示手段によって指示された場合に前記放射線動画撮影手段による撮影能力を低下して前記指示手段によって指示された撮影を行うように、前記放射線画像撮影手段を制御する制御ステップと、を更に含む請求項１５又は請求項１６に記載の放射線画像撮影プログラム。
【請求項２０】
前記制御ステップは、前記検出ステップで検出した前記電池の特性に適さない撮影が前記指示手段によって指示された場合に、前記指示手段によって指示された撮影に適した前記電池への交換を報知するように、前記報知ステップを更に制御する請求項１８に記載の放射線画像撮影プログラム。
【発明の詳細な説明】
【技術分野】
【０００１】
本発明は、放射線画撮影装置、放射線画撮影システム、放射線画撮影方法、及び放射線画撮影プログラムに関する
【背景技術】
【０００２】
近年、放射線画像撮影装置の可搬化が望まれ、小型軽量化が進んでいる。また、可搬化に伴って使い勝手を向上させるために、蓄電池を搭載すると共に、無線通信を可能としてワイヤレス化も進んでいる。
【０００３】
蓄電池を搭載した放射線画像撮影装置としては、例えば、特許文献１、２に記載の技術が提案されている。
【０００４】
特許文献１に記載の技術では、記憶装置、信号処理回路、画像処理回路、ディスプレイ、無線通信回路、光源、冷却素子、放熱板および蓄電池の少なくとも１つを組み合わせて電子カセッテに接続することで、動画撮影を可能にすることが提案されている。
【０００５】
また、特許文献２に記載の技術では、撮影用途に応じて異なる種類の蓄電池を差し替えて撮影することが提案されている。
【０００６】
一方、電子カセッテの設置側を変更せずに旧来のシステムでも使用できるように、従来からのカセッテの大きさと同じ大きさで軽量な電子カセッテが望まれている。
【先行技術文献】
【特許文献】
【０００７】
【特許文献１】特開２００８-８３０３１号公報
【特許文献２】特開２０１１-２０３７２４号公報
【発明の概要】
【発明が解決しようとする課題】
【０００８】
しかしながら、特許文献１に記載の技術では、蓄電池が動画撮影に適しているのか或いは静止画撮影に適しているのかまでは判断しておらず、特許文献２についても接続された蓄電池が動画撮影に適しているのか或いは静止画撮影に適しているのかは使用者が判断して蓄電池の差し替え等を行うため、改善の余地がある。
【０００９】
本発明は、上記事実を考慮して成されたもので、収納される電池の特性に適した撮影を行わせることを目的とする。
【課題を解決するための手段】
【００１０】
上記目的を達成するために請求項１に記載の放射線動画撮影装置は、電源として電池が収容可能とされ、照射された放射線に応じた画像を撮影する放射線画像撮影手段と、前記放射線画像撮影手段に収容された前記電池の特性を検出する検出手段と、前記検出手段によって検出された前記電池の特性が動画撮影に適した特性の場合に動画撮影に適していることを報知し、前記電池の特性が静止画撮影に適した特性の場合に静止画撮影に適していることを報知する報知手段と、を備えることを特徴としている。
【００１１】
請求項１に記載の発明によれば、放射線画像撮影手段では、収容された電池を電源として、照射された放射線に応じた画像が撮影される。
【００１２】
また、検出手段では、放射線画像撮影手段に収容された電池の特性が検出される。例えば、検出手段は、請求項２に記載の発明のように、電池の特性として、静止画撮影に適した予め定めた高出力型の特性であるか、または動画撮影に適した予め定めた高容量型の特性であるかを検出する。
【００１３】
そして、報知手段では、検出手段によって検出された電池の特性が動画撮影に適した特性の場合に動画撮影に適していることが報知され、電池の特性が静止画撮影に適した特性の場合に静止画撮影に適していることが報知される。すなわち、報知手段の報知内容に応じて撮影を行うことで電池の特性に適した撮影を行うことができる。従って、収容される電池の特性に適した撮影を使用者に行われることができる。
【００１４】
なお、請求項３に記載の発明のように、撮影開始を指示するための指示手段と、指示手段によって撮影開始が指示された場合に、検出手段によって検出された電池の特性が動画撮影に適した特性の場合に動画撮影を行い、検出手段によって検出された電池の特性が静止画撮影に適した特性の場合に静止画撮影を行うように、放射線画像撮影手段を制御する制御手段と、を更に備えるようにしてもよい。これによって、電池の特性に適した撮影に自動的に切り替えて撮影を行うことができる。
【００１５】
また、請求項４に記載の発明のように、静止画撮影または動画撮影を指示するための指示手段と、検出手段によって検出された電池の特性に適した撮影が指示手段によって指示された場合に指示手段によって指示された撮影を許可し、検出手段によって検出された電池の特性に適さない撮影が指示手段によって指示された場合に指示手段によって指示された撮影を禁止するように、放射線画像撮影手段を制御する制御手段と、を更に備えるようにしてもよい。これによって、電池の特性に適さない撮影が禁止されるので、撮影時の電力不足等を防止することができる。この場合には、請求項６に記載の発明のように、制御手段は、検出手段によって検出された電池の特性に適さない撮影が指示手段によって指示された場合に、指示手段によって指示された撮影に適した電池への交換を報知するように、報知手段を更に制御するようにしてもよい。
【００１６】
また、請求項５に記載の発明のように、静止画撮影または動画撮影を指示するための指示手段と、検出手段によって検出された電池の特性に適した撮影が指示手段によって指示された場合に指示手段によって指示された撮影を許可し、検出手段によって検出された電池の特性に適さない撮影が指示手段によって指示された場合に放射線動画撮影手段による撮影能力を低下して指示手段によって指示された撮影を行うように、放射線画像撮影手段を制御する制御手段と、を更に備えるようにしてもよい。これによって、電池の特性に適さない撮影が指示されても、撮影能力は制限されるが撮影を継続させることができる。
【００１７】
また、電池は、請求項７に記載の発明のように、射線画像撮影手段の撮影結果を記憶する記憶手段を更に備えるようにしてもよい。
【００１８】
なお、本発明は、請求項８に記載の発明のように、請求項１〜６の何れか１項に記載の放射線画像撮影装置と、被検体を介して前記放射線検出器に放射線を照射する放射線照射手段と、を備えた放射線画撮影システムとしてもよい。
【００１９】
一方、請求項９に記載の放射線画像撮影方法は照射された放射線に応じた画像を撮影する放射線画像撮影手段の電源として収容された電池の特性を検出する検出ステップと、前記検出ステップで検出した前記電池の特性が動画撮影に適した特性の場合に動画撮影に適していることを報知し、前記電池の特性が静止画撮影に適した特性の場合に静止画撮影に適していることを報知する報知ステップと、を含むことを特徴としている。
【００２０】
請求項９に記載の発明によれば、検出ステップでは、照射された放射線に応じた画像を撮影する放射線画像撮影手段の電源として収容された電池の特性を検出する。例えば、検出ステップは、請求項１０に記載の発明のように、電池の特性として、静止画撮影に適した予め定めた高出力型の特性であるか、または動画撮影に適した予め定めた高容量型の特性であるかを検出する。
【００２１】
そして、報知ステップでは、検出ステップで検出した電池の特性が動画撮影に適した特性の場合に動画撮影に適していることを報知し、電池の特性が静止画撮影に適した特性の場合に静止画撮影に適していることを報知する。すなわち、報知ステップの報知内容に応じて撮影を行うことで電池の特性に適した撮影を行うことができる。従って、収容される電池の特性に適した撮影を使用者に行われることができる。
【００２２】
なお、請求項１１に記載の発明のように、撮影開始を指示するための指示手段によって撮影開始が指示された場合に、検出ステップで検出した電池の特性が動画撮影に適した特性の場合に動画撮影を行い、検出ステップで検出した電池の特性が静止画撮影に適した特性の場合に静止画撮影を行うように、放射線画像撮影手段を制御する制御ステップと、を更に含むようにしてもよい。これによって、電池の特性に適した撮影に自動的に切り替えて撮影を行うことができる。
【００２３】
また、請求項１２に記載の発明のように、検出ステップで検出した前記電池の特性に適した撮影が、静止画撮影または動画撮影を指示するための指示手段によって指示された場合に、指示手段によって指示された撮影を許可し、検出ステップで検出した電池の特性に適さない撮影が指示手段によって指示された場合に指示手段によって指示された撮影を禁止するように、放射線画像撮影手段を制御する制御ステップと、を更に含むようにしてもよい。これによって、電池の特性に適さない撮影が禁止されるので、撮影時の電力不足等を防止することができる。この場合には、請求項１４に記載の発明のように、制御ステップは、検出ステップで検出した電池の特性に適さない撮影が前記指示手段によって指示された場合に、指示手段によって指示された撮影に適した電池への交換を報知するように、報知ステップを更に制御するようにしてもよい。
【００２４】
また、請求項１３に記載の発明のように、検出ステップで検出した電池の特性に適した撮影が、静止画撮影または動画撮影を指示するための指示手段によって指示された場合に指示手段によって指示された撮影を許可し、検出ステップで検出した電池の特性に適さない撮影が指示手段によって指示された場合に放射線動画撮影手段による撮影能力を低下して指示手段によって指示された撮影を行うように、放射線画像撮影手段を制御する制御ステップと、を更に含むようにしてもよい。これによって、電池の特性に適さない撮影が指示されても、撮影能力は制限されるが撮影を継続させることができる。
【００２５】
また、請求項１５に記載の放射線画像撮影プログラムは、照射された放射線に応じた画像を撮影する放射線画像撮影手段の電源として設けられた電池の特性を検出する検出ステップと、前記検出ステップで検出した前記電池の特性が動画撮影に適した特性の場合に動画撮影に適していることを報知し、前記電池の特性が静止画撮影に適した特性の場合に静止画撮影に適していることを報知する報知ステップと、を含む処理をコンピュータに実行させることを特徴としている。
【００２６】
請求項１５に記載の発明によれば、検出ステップでは、照射された放射線に応じた画像を撮影する放射線画像撮影手段の電源として収容された電池の特性を検出する。例えば、検出ステップは、請求項１６に記載の発明のように、電池の特性として、静止画撮影に適した予め定めた高出力型の特性であるか、または動画撮影に適した予め定めた高容量型の特性であるかを検出する。
【００２７】
そして、報知ステップでは、検出ステップで検出した電池の特性が動画撮影に適した特性の場合に動画撮影に適していることを報知し、電池の特性が静止画撮影に適した特性の場合に静止画撮影に適していることを報知する。すなわち、報知ステップの報知内容に応じて撮影を行うことで電池の特性に適した撮影を行うことができる。従って、収容される電池の特性に適した撮影を使用者に行われることができる。
【００２８】
なお、請求項１７に記載の発明のように、撮影開始を指示するための指示手段によって撮影開始が指示された場合に、検出ステップで検出した電池の特性が動画撮影に適した特性の場合に動画撮影を行い、検出ステップで検出した電池の特性が静止画撮影に適した特性の場合に静止画撮影を行うように、放射線画像撮影手段を制御する制御ステップと、を更に含むようにしてもよい。これによって、電池の特性に適した撮影に自動的に切り替えて撮影を行うことができる。
【００２９】
また、請求項１８に記載の発明のように、検出ステップで検出した前記電池の特性に適した撮影が、静止画撮影または動画撮影を指示するための指示手段によって指示された場合に、指示手段によって指示された撮影を許可し、検出ステップで検出した電池の特性に適さない撮影が指示手段によって指示された場合に指示手段によって指示された撮影を禁止するように、放射線画像撮影手段を制御する制御ステップと、を更に含むようにしてもよい。これによって、電池の特性に適さない撮影が禁止されるので、撮影時の電力不足等を防止することができる。この場合には、請求項２０に記載の発明のように、制御ステップは、検出ステップで検出した電池の特性に適さない撮影が前記指示手段によって指示された場合に、指示手段によって指示された撮影に適した電池への交換を報知するように、報知ステップを更に制御するようにしてもよい。
【００３０】
また、請求項１９に記載の発明のように、検出ステップで検出した電池の特性に適した撮影が、静止画撮影または動画撮影を指示するための指示手段によって指示された場合に指示手段によって指示された撮影を許可し、検出ステップで検出した電池の特性に適さない撮影が指示手段によって指示された場合に放射線動画撮影手段による撮影能力を低下して指示手段によって指示された撮影を行うように、放射線画像撮影手段を制御する制御ステップと、を更に含むようにしてもよい。これによって、電池の特性に適さない撮影が指示されても、撮影能力は制限されるが撮影を継続させることができる。
【発明の効果】
【００３１】
以上説明した如く本発明では、収容される電池の特性を検出して、特性に適した撮影を報知するので、収容される電池の特性に適した撮影を使用者に行わせることができる、という優れた効果を有する。
【図面の簡単な説明】
【００３２】
【図１】本実施の形態に係る放射線情報システムの概略構成図である。
【図２】本実施の形態に係る撮影システムの放射線撮影室における各装置の配置状態の一例を示す図である。
【図３】本実施の形態に係る電子カセッテ２０の内部構成を示す斜視図である。
【図４】電子カセッテに収納される蓄電池の特性を検出する構成の一例を説明するための図である。
【図５】（Ａ）は、電子カセッテに装備される放射線検出器の４画素部分の構成を概略的に示す断面模式図であり、（Ｂ）は放射線検出器の画素部の電気的構成を示す図である。
【図６】本実施の形態に係る撮影システムの制御ブロック図である。
【図７】本発明の実施の形態に係わる撮影システムにおいて、電子カセッテに収納された蓄電池の特性に応じた制御を行う場合にコンソールで行われる処理（蓄電池の特性を報知して特性に応じた撮影に切り替える場合）の流れの一例を示すフローチャートである。
【図８】本発明の実施の形態に係わる撮影システムにおいて、電子カセッテに収納された蓄電池の特性に応じた制御を行う場合にコンソールで行われる（蓄電池の特性に応じた撮影を許可する場合）の流れの一例を示すフローチャートである。
【図９】本発明の実施の形態に係わる撮影システムにおいて、電子カセッテに収納された蓄電池の特性に応じた制御を行う場合にコンソールで行われる（スペックダウンして撮影を許可する場合）の流れの一例を示すフローチャートである。
【発明を実施するための形態】
【００３３】
図１は、本実施の形態に係る放射線情報システム（以下、「ＲＩＳ」（Radiology Information System）という。）１０の概略構成図である。このＲＩＳ１０は、静止画に加え、動画を撮影することが可能である。なお、動画の定義は、静止画を高速に次々と表示して、動画として認知させることを言い、静止画を撮影し、電気信号に変換し、伝送して当該電気信号から静止画を再生する、というプロセスを高速に繰り返すものである。従って、前記「高速」の度合いによって、予め定められた時間内に同一領域（一部又は全部）を複数回撮影し、かつ連続的に再生する、所謂「コマ送り」も動画に包含されるものとする。
【００３４】
ＲＩＳ１０は、放射線科部門内における、診療予約、診断記録等の情報管理を行うためのシステムであり、病院情報システム（以下、「ＨＩＳ」（Hospital Information System）という。）の一部を構成する。
【００３５】
ＲＩＳ１０は、複数台の撮影依頼端末装置（以下、「端末装置」という。）１２、ＲＩＳサーバー１４、および病院内の放射線撮影室（あるいは手術室）の個々に設置された複数の放射線画像撮影システム（以下、「撮影システム」という。）１６を有しており、これらが有線や無線のＬＡＮ（Local Area Network）等から成る病院内ネットワーク１８に各々接続されて構成されている。なお、病院内ネットワーク１８には、ＨＩＳ全体を管理するＨＩＳサーバー（図示省略）が接続されている。また、撮影システム１６は、単一、或いは３以上の設備であってもよく、図１では、撮影室毎に設置しているが、単一の撮影室に２台以上の撮影システム１６を配置してもよい。
【００３６】
端末装置１２は、医師や放射線技師が、診断情報や施設予約の入力、閲覧等を行うためのものであり、放射線画像の撮影依頼や撮影予約は、この端末装置１２を介して行われる。各端末装置１２は、表示装置を有するパーソナル・コンピュータを含んで構成され、ＲＩＳサーバー１４と病院内ネットワーク１８を介して相互通信が可能とされている。
【００３７】
一方、ＲＩＳサーバー１４は、各端末装置１２からの撮影依頼を受け付け、撮影システム１６における放射線画像の撮影スケジュールを管理するものであり、データベース１４Ａを含んで構成されている。
【００３８】
データベース１４Ａは、被検体としての患者（被検者）の属性情報（氏名、性別、生年月日、年齢、血液型、体重、患者ＩＤ（Identification）等）、病歴、受診歴、過去に撮影した放射線画像等の患者に関する情報、撮影システム１６で用いられる、後述する電子カセッテ２０の識別番号（ＩＤ情報）、型式、サイズ、感度、使用開始年月日、使用回数等の電子カセッテ２０に関する情報、および電子カセッテ２０を用いて放射線画像を撮影する環境、すなわち、電子カセッテ２０を使用する環境（一例として、放射線撮影室や手術室等）を示す環境情報を含んで構成されている。
【００３９】
なお、医療機関が管理する医療関連データをほぼ永久に保管し、必要なときに、必要な場所から瞬時に取り出すシステム（「医療クラウド」等と言う場合がある）を利用して、病院外のサーバーから、患者（被検者）の過去の個人情報等を入手するようにしてもよい。
【００４０】
撮影システム１６は、ＲＩＳサーバー１４からの指示に応じて医師や放射線技師の操作により放射線画像の撮影を行う。撮影システム１６は、放射線照射制御ユニット２２（図６参照）の制御により放射線Ｘを照射する放射線照射源２２Ａから、照射条件に従った線量とされた放射線Ｘを被検者に照射する放射線発生装置２４と、被検者の撮影対象部位を透過した放射線Ｘを吸収して電荷を発生し、発生した電荷量に基づいて放射線画像を示す画像情報を生成する放射線検出器２６（図３参照）を内蔵する電子カセッテ２０と、電子カセッテ２０に内蔵されているバッテリを充電するクレードル２８と、電子カセッテ２０および放射線発生装置２４を制御するコンソール３０と、を備えている。
【００４１】
コンソール３０は、ＲＩＳサーバー１４からデータベース１４Ａに含まれる各種情報を取得して後述するＨＤＤ８８（図４参照）に記憶し、必要に応じて当該情報を用いて、電子カセッテ２０および放射線発生装置２４の制御を行う。
【００４２】
図２には、本実施の形態に係る撮影システム１６の放射線撮影室３２における各装置の配置状態の一例が示されている。
【００４３】
図２に示される如く、放射線撮影室３２には、立位での放射線撮影を行う際に用いられる立位台３４と、臥位での放射線撮影を行う際に用いられる臥位台３６とが設置されており、立位台３４の前方空間は立位での放射線撮影を行う際の被検者３８の撮影位置とされ、臥位台３６の上方空間は臥位での放射線撮影を行う際の被検者４０の撮影位置とされている。
【００４４】
立位台３４には電子カセッテ２０を保持する保持部４２が設けられており、立位での放射線画像の撮影を行う際には、電子カセッテ２０が保持部４２に保持される。同様に、臥位台３６には電子カセッテ２０を保持する保持部４４が設けられており、臥位での放射線画像の撮影を行う際には、電子カセッテ２０が保持部４４に保持される。
【００４５】
なお、電子カセッテ２０は、立位台３４の保持部４２や臥位台３６の保持部４４で保持された状態のみで使用されるものではなく、その可搬性から、腕部、脚部等を撮影する際には、保持部に保持されていない状態で使用することもできる。
【００４６】
本実施の形態に係る撮影システム１６では、放射線発生装置２４とコンソール３０とをケーブルで接続して有線通信により各種情報の送受信を行うが、図２では、当該ケーブルの図示を省略している。また、本実施の形態に係る撮影システム１６では、電子カセッテ２０とコンソール３０との間は、無線通信によって各種情報の送受信を行う。
【００４７】
なお、電子カセッテ２０は、放射線撮影室や手術室のみで使用されるものではなく、その可搬性から、例えば、検診や病院内での回診等にも使用することができる。
【００４８】
また、放射線撮影室３２には、単一の放射線照射源２２Ａからの放射線によって立位での放射線撮影も臥位での放射線撮影も可能とするために、放射線照射源２２Ａを、水平な軸回り（図２の矢印Ａ方向）に回動可能で、鉛直方向（図２の矢印Ｂ方向）に移動可能で、さらに水平方向（図２の矢印Ｃ方向）に移動可能に支持する支持移動機構４６が設けられている。この図２の矢印Ａ〜Ｃ方向へ移動（回動を含む）させる駆動源は、支持移動機構４６に内蔵されており、ここでは、図示を省略する。
【００４９】
一方、クレードル２８には、電子カセッテ２０を収納可能な収容部２８Ａが形成されている。
【００５０】
電子カセッテ２０は、未使用時にはクレードル２８の収容部２８Ａに収納された状態で内蔵されている蓄電池に充電が行われ、放射線画像の撮影時には放射線技師等によってクレードル２８から取り出され、撮影姿勢が立位であれば立位台３４の保持部４２に保持され、撮影姿勢が臥位であれば臥位台３６の保持部４４に保持される。
【００５１】
図３には、本実施の形態に係る電子カセッテ２０の内部構成が示されている。
【００５２】
図３に示すように、電子カセッテ２０は、放射線Ｘを透過させる材料からなる筐体１１２を備えており、防水性、密閉性を有する構造とされている。電子カセッテ２０は、手術室等で使用されるとき、血液やその他の雑菌が付着するおそれがある。そこで、電子カセッテ２０を防水性、密閉性を有する構造として、必要に応じて殺菌洗浄することにより、１つの電子カセッテ２０を繰り返し続けて使用することができる。
【００５３】
筐体１１２の内部には、放射線Ｘが照射される筐体１１２の照射面１１４側から、患者による放射線Ｘの散乱線を除去するグリッド１１６、患者を透過した放射線Ｘを検出する放射線検出器２６、および放射線Ｘのバック散乱線を吸収する鉛板１１８が順に配設されている。なお、筐体１１２の照射面１１４をグリッド１１６として構成してもよい。
【００５４】
また、筐体１１２の内部の一端側には、マイクロコンピュータを含む電子回路、および充電可能で、かつ着脱可能とされた蓄電池１２０を収容するケース１２２が配置されている。放射線検出器２６および上記電子回路は、ケース１２２に配置された蓄電池１２０から供給される電力によって作動する。なお、着脱可能な蓄電池１２０とは別に更に他の蓄電池をケース１２２内に内蔵して電力供給可能としてもよい。
【００５５】
本実施の形態では、電子カセッテ２０に収容される蓄電池１２０は、複数種類の特性のものを収容することが可能とされており、例えば、静止画撮影に適した特性の蓄電池や、動画撮影に適した蓄電池が収容される。静止画撮影に適した特性としては、動画撮影よりも高精細な画像が要求されるので動画撮影よりも高出力型の特性の蓄電池を採用すること好ましい。また、動画撮影に適した特性としては、静止画撮影よりも長時間の使用が要求されるので、動画撮影よりも高容量型の特性の蓄電池が好ましい。また、蓄電池１２０としては、リチウムイオン電池、ニッカド電池、ニッケル水素電池、キャパシタなどの蓄電池を適用することができる。また、蓄電池１２０には、電子カセッテ２０による撮影結果を記憶するためのメモリを備えた構成としてもよい。
【００５６】
また、電子カセッテ２０は、収容される蓄電池１２０の特性を検出する機能を備えており、検出結果をコンソール３０へ送信するようになっている。蓄電池１２０の特性を検出する方法としては、例えば、図４に示すように、静止画用蓄電池１２０Ａと動画用蓄電池１２０Ｂとで異なる位置に電極１２４Ａ、１２４Ｂや突起を設けて、ケース１２２側にそれぞれの電極１２４Ａ、１２４Ｂや突起を検出する検出電極１２６Ａ、１２６Ｂやスイッチ等を設けることにより、蓄電池１２０の検出電極１２４Ａ、１２４Ｂの位置の違いや筐体の形状（例えば、突起等）の違いに基づいて、蓄電池１２０の特性（静止画用蓄電池１２０Ａであるか動画用蓄電池１２０Ｂであるか）を検出するようにしてもよいし、蓄電池１２０の電圧や電流を測定することによって蓄電池１２０の特性を検出するようにしてもよい。或いは、蓄電池１２０に特性を記憶する無線タグやＩＣを設けると共に、電子カセッテ２０にこれらから情報を受信する受信手段を設けて蓄電池１２０の特性を検出するようにしてもよい。
【００５７】
また、電子カセッテ２０は、ケース１２２内部に収容された各種回路が放射線Ｘの照射に伴って損傷することを回避するため、ケース１２２の照射面１１４側には鉛板等を配設しておくことが望ましい。なお、本実施の形態に係る電子カセッテ２０は、照射面１１４の形状が長方形とされた直方体とされており、その長手方向一端部にケース１２２が配置されている。
【００５８】
また、収納される蓄電池１２０の大きさは、電子カセッテ２０の大きさを従来のカセッテの大きさと共通化させるために、従来のカセッテの大きさの範囲内で内蔵可能な大きさとされ、電子カセッテ２０と従来のカセッテの大きさが共通となるようにしている（レトロフィット）。これによって撮影室側の変更を必要とせずに、電子カセッテ２０を使用することが可能となる。
【００５９】
また、電子カセッテ２０には放射線検出器２６が内蔵される。内蔵された放射線検出器２６は、放射線をシンチレータで光に変換した後にフォトダイオード等の光電変換素子で電荷に変換する間接変換方式、放射線をアモルファスセレン等の半導体層で電荷に変換する直接変換方式の何れでもよい。直接変換方式の放射線検出器２６は、ＴＦＴアクティブマトリクス基板上に、放射線Ｘを吸収し、電荷に変換する光電変換層が積層されて構成されている。光電変換層は例えばセレンを主成分（例えば含有率５０％以上）とする非晶質のａ−Ｓｅ（アモルファスセレン）からなり、放射線Ｘが照射されると、照射された放射線量に応じた電荷量の電荷（電子−正孔の対）を内部で発生することで、照射された放射線Ｘを電荷へ変換する。間接変換方式の放射線検出器２６は、アモルファスセレンのような放射線Ｘを直接的に電荷に変換する放射線-電荷変換材料の代わりに、蛍光体材料と光電変換素子（フォトダイオード）を用いて間接的に電荷に変換してもよい。蛍光体材料としては、テルビウム賦活酸硫化ガドリニウム（Ｇｄ２Ｏ２Ｓ:Ｔｂ）（略称ＧＯＳ）やタリウム賦活ヨウ化セシウム（ＣｓＩ：Ｔｌ）がよく知られている。この場合、蛍光体材料によって放射線Ｘ−光変換を行い、光電変換素子のフォトダイオードによって光−電荷変換を行う。本実施の形態に係る電子カセッテ２０は、間接変換方式の放射線検出器２６を内蔵するものとして説明する。
【００６０】
図５（Ａ）は、電子カセッテ２０に装備される放射線検出器２６の４画素部分の構成を概略的に示す断面模式図であり、図５（Ｂ）は、放射線検出器２６の画素部の電気的構成を示す図である。
【００６１】
図５（Ａ）に示される如く、放射線検出器２６は、絶縁性の基板５０上に、信号出力部５２、センサ部５４（ＴＦＴ基板７４）、およびシンチレータ５６が順次積層しており、信号出力部５２、センサ部５４によりＴＦＴ基板７４の画素群が構成されている。すなわち、複数の画素は、基板５０上にマトリクス状に配列されており、各画素における信号出力部５２とセンサ部５４とが重なりを有するように構成されている。なお、信号出力部５２とセンサ部５４との間には、絶縁膜５３が介在されている。
【００６２】
シンチレータ５６は、センサ部５４上に透明絶縁膜５８を介して形成されており、上方（基板５０の反対側）または下方から入射してくる放射線を光に変換して発光する蛍光体を成膜したものである。このようなシンチレータ５６を設けることで、被写体を透過した放射線を吸収して発光することになる。
【００６３】
シンチレータ５６が発する光の波長域は、可視光域（波長３６０ｎｍ〜８３０ｎｍ）であることが好ましく、この放射線検出器２６によってモノクロ撮像を可能とするためには、緑色の波長域を含んでいることがより好ましい。
【００６４】
シンチレータ５６に用いる蛍光体としては、具体的には、放射線としてＸ線を用いて撮像する場合、ヨウ化セシウム（ＣｓＩ）を含むものが好ましく、Ｘ線照射時の発光スペクトルが４２０ｎｍ〜６００ｎｍにあるＣｓＩ（Ｔｌ）（タリウムが添加されたヨウ化セシウム）を用いることが特に好ましい。なお、ＣｓＩ（Ｔｌ）の可視光域における発光ピーク波長は５６５ｎｍである。
【００６５】
センサ部５４は、上部電極６０、下部電極６２、および当該上下の電極間に配置された光電変換膜６４を有し、光電変換膜６４は、シンチレータ５６が発する光を吸収して電荷が発生する有機光電変換材料により構成されている。
【００６６】
上部電極６０は、シンチレータ５６により生じた光を光電変換膜６４に入射させる必要があるため、少なくともシンチレータ５６の発光波長に対して透明な導電性材料で構成することが好ましく、具体的には、可視光に対する透過率が高く、抵抗値が小さい透明導電性酸化物（TCO：Transparent Conducting Oxide）を用いることが好ましい。なお、上部電極６０としてＡｕなどの金属薄膜を用いることもできるが、透過率を９０％以上得ようとすると抵抗値が増大し易いため、ＴＣＯの方が好ましい。例えば、ＩＴＯ、ＩＺＯ、ＡＺＯ、ＦＴＯ、ＳｎＯ２、ＴｉＯ２、ＺｎＯ２等を好ましく用いることができ、プロセス簡易性、低抵抗性、透明性の観点からはＩＴＯが最も好ましい。なお、上部電極６０は、全画素で共通の一枚構成としてもよく、画素毎に分割してもよい。
【００６７】
光電変換膜６４は、有機光電変換材料を含み、シンチレータ５６から発せられた光を吸収し、吸収した光に応じた電荷を発生する。このように有機光電変換材料を含む光電変換膜６４であれば、可視域にシャープな吸収スペクトルを持ち、シンチレータ５６による発光以外の電磁波が光電変換膜６４に吸収されることがほとんどなく、Ｘ線等の放射線が光電変換膜６４で吸収されることによって発生するノイズを効果的に抑制することができる。
【００６８】
光電変換膜６４を構成する有機光電変換材料は、シンチレータ５６で発光した光を最も効率よく吸収するために、その吸収ピーク波長が、シンチレータ５６の発光ピーク波長と近いほど好ましい。有機光電変換材料の吸収ピーク波長とシンチレータ５６の発光ピーク波長とが一致することが理想的であるが、双方の差が小さければシンチレータ５６から発された光を十分に吸収することが可能である。具体的には、有機光電変換材料の吸収ピーク波長と、シンチレータ５６の放射線に対する発光ピーク波長との差が、１０ｎｍ以内であることが好ましく、５ｎｍ以内であることがより好ましい。
【００６９】
このような条件を満たすことが可能な有機光電変換材料としては、例えばキナクリドン系有機化合物およびフタロシアニン系有機化合物が挙げられる。例えばキナクリドンの可視域における吸収ピーク波長は５６０ｎｍであるため、有機光電変換材料としてキナクリドンを用い、シンチレータ５６の材料としてＣｓＩ（Ｔｌ）を用いれば、上記ピーク波長の差を５ｎｍ以内にすることが可能となり、光電変換膜６４で発生する電荷量をほぼ最大にすることができる。なお、本実施の形態では、有機光電変換材料を含む光電変換膜６４を一例として説明するが、これに限るものではなく、光電変換膜６４は、光を吸収して電荷を発生する材料であればよく、例えば、アモルファスシリコンなどの他の材料を適用するようにしてもよい。光電変換膜６４をアモルファスシリコンで構成した場合には、シンチレータから放出された光を広い波長域に亘って吸収するように構成することができる。
【００７０】
各画素を構成するセンサ部５４は、少なくとも下部電極６２、光電変換膜６４、および上部電極６０を含んでいればよいが、暗電流の増加を抑制するため、電子ブロッキング膜６６および正孔ブロッキング膜６８の少なくともいずれかを設けることが好ましく、両方を設けることがより好ましい。
【００７１】
電子ブロッキング膜６６は、下部電極６２と光電変換膜６４との間に設けることができ、下部電極６２と上部電極６０間にバイアス電圧を印加したときに、下部電極６２から光電変換膜６４に電子が注入されて暗電流が増加してしまうのを抑制することができる。電子ブロッキング膜６６には、電子供与性有機材料を用いることができる。
【００７２】
正孔ブロッキング膜６８は、光電変換膜６４と上部電極６０との間に設けることができ、下部電極６２と上部電極６０間にバイアス電圧を印加したときに、上部電極６０から光電変換膜６４に正孔が注入されて暗電流が増加してしまうのを抑制することができる。正孔ブロッキング膜６８には、電子受容性有機材料を用いることができる。
【００７３】
信号出力部５２は、下部電極６２に対応して、下部電極６２に移動した電荷を蓄積するコンデンサ７０と、コンデンサ７０に蓄積された電荷を電気信号に変換して出力する電界効果型薄膜トランジスタ（Thin Film Transistor、以下、単に薄膜トランジスタという場合がある。）７２が形成されている。コンデンサ７０および薄膜トランジスタ７２の形成された領域は、平面視において下部電極６２と重なる部分を有しており、このような構成とすることで、各画素における信号出力部５２とセンサ部５４とが厚さ方向で重なりを有することとなる。なお、放射線検出器２６（画素）の平面積を最小にするために、コンデンサ７０および薄膜トランジスタ７２の形成された領域が下部電極６２によって完全に覆われていることが望ましい。
【００７４】
マトリクス状に配列された画素における信号出力部５２は、図５（Ｂ）に示すように、一定方向（行方向）に延設され、個々の画素の薄膜トランジスタ７２をオン・オフさせるための複数本のゲート配線Ｇと、ゲート配線Ｇと直行する方向に延設され、オンされた薄膜トランジスタ７２を介してコンデンサ７０から蓄積電荷を読み出すための複数本のデータ配線Ｄが設けられている。個々のゲート配線Ｇはゲート線ドライバ７１に接続されており、個々のデータ配線Ｄは信号処理部７３に接続されている。個々の画素部のコンデンサ７０に電荷が蓄積されると、個々の画素部の薄膜トランジスタ７２は、ゲート線ドライバ７１からゲート配線Ｇを介して供給される信号により行単位で順にオンされる。薄膜トランジスタ７２がオンされた画素部のコンデンサ７０に蓄積された電荷は、アナログの電気信号としてデータ配線Ｄを電送されて信号処理部７３に入力される。従って、個々の画素部のコンデンサ７０に蓄積されている電荷は行単位で順に読み出される。
【００７５】
また、ゲート線ドライバ７１は、１回の画像の読み出し動作で１ラインずつ順に各ゲート配線Ｇにオン信号を出力して１ラインずつ各画素部のコンデンサ７０に蓄積された電荷を読み出す順次走査方式（所謂、プログレッシブ走査方式）に加え、１回の画像の読み出し動作でゲート線ドライバ７１から複数ライン（例えば、２ラインや４ライン）ずつ順に各ゲート配線Ｇにオン信号を出力して複数ラインずつ各画素部のコンデンサ７０に蓄積された電荷を読み出す（同時に読み出した画素の電荷を合成して読み出す）ビニング読出方式での読み出しが可能とされており、順次読出方式とビニング読出方式とに画像の読出方式が切り替え可能とされている。具体的には、本実施の形態では、静止画撮影の場合には順次読出方式で撮影を行い、動画撮影の場合にはビニング読出方式で撮影を行う。
【００７６】
なお、順次走査方式と、ゲート配線Ｇを１行毎に奇数行目と偶数行目に分けて、画像の読み出し動作毎に、奇数行目又は偶数行目のゲート配線Ｇにオン信号を出力して１ライン毎に交互に各画素部に蓄積された電荷を読み出す飛越走査方式（所謂、インターレース走査方式）とで画像の読出方式が切替可能としてもよい。
【００７７】
また、信号処理部７３及びゲート線ドライバ７１は、カセッテ制御部６９が接続されており、カセッテ制御部６９によってゲート線ドライバ７１及び信号処理部７３が制御される。なお、カセッテ制御部６９は、ＣＰＵ、ＲＯＭ、ＲＡＭ、ＨＤＤやフレッシュメモリ等を含むマイクロコンピュータで構成されていると共に、無線通信を行うためのインターフェースを含んで構成されている。
【００７８】
図６は、本実施の形態に係る撮影システム１６の制御ブロック図である。
【００７９】
コンソール３０は、サーバー・コンピュータとして構成されており、操作メニューや撮影された放射線画像等を表示するディスプレイ８０と、複数のキーを含んで構成され、各種の情報や操作指示が入力される操作パネル８２と、を備えている。
【００８０】
また、本実施の形態に係るコンソール３０は、装置全体の動作を司るＣＰＵ８４と、制御プログラムを含む各種プログラム等が予め記憶されたＲＯＭ８６と、各種データを一時的に記憶するＲＡＭ８７と、各種データを記憶して保持するＨＤＤ（ハードディスク・ドライブ）８８と、ディスプレイ８０への各種情報の表示を制御するディスプレイドライバ９２と、操作パネル８２に対する操作状態を検出する操作入力検出部９０と、を備えている。
【００８１】
また、コンソール３０は、無線通信により、画像処理装置２３及び放射線発生装置２４との間で後述する照射条件等の各種情報の送受信を行うと共に、電子カセッテ２０との間で画像データ等の各種情報の送受信を行うＩ／Ｆ（例えば、無線通信部）９６及びＩ／Ｏ９４を備えている。
【００８２】
ＣＰＵ８４、ＲＯＭ８６、ＲＡＭ８７、ＨＤＤ８８、ディスプレイドライバ９２、操作入力検出部９０、Ｉ／Ｏ９４、無線通信部９６は、システムバスやコントロールバス等のバス９８を介して相互に接続されている。従って、ＣＰＵ８４は、ＲＯＭ８６、ＲＡＭ８７、ＨＤＤ８８へのアクセスを行うことができると共に、ディスプレイドライバ９２を介したディスプレイ８０への各種情報の表示の制御、および無線通信部９６を介した放射線発生装置２４および電子カセッテ２０との各種情報の送受信の制御を各々行うことができる。また、ＣＰＵ８４は、操作入力検出部９０を介して操作パネル８２に対するユーザの操作状態を把握することができる。
【００８３】
一方、画像処理装置２３は、コンソール３０との間で照射条件等の各種情報を送受信するＩ／Ｆ（例えば無線通信部）１００と、照射条件に基づいて、電子カセッテ２０及び放射線発生装置２４を制御する画像処理制御ユニット１０２と、を備えている。また、放射線発生装置２４は、放射線照射源２２Ａからの放射線照射を制御する放射線照射制御ユニット２２を備えている。
【００８４】
画像処理制御ユニット１０２は、システム制御部１０４、パネル制御部１０６、画像処理制御部１０８を備え、相互にバス１１０によって情報をやりとりしている。パネル制御部１０６では、前記電子カセッテ２０からの情報を、無線又は有線により受け付け、画像処理制御部１０８で画像処理が施される。
【００８５】
一方、システム制御部１０４は、コンソール３０から照射条件には管電圧、管電流等の情報を受信し、受信した照射条件に基づいて放射線照射制御ユニット２２の放射線照射源２２Ａから放射線Ｘを照射させる制御を行う。
【００８６】
ところで、本実施の形態に係わる撮影システム１６における電子カセッテ２０では、上述したように、収容される蓄電池１２０の特性を検出して検出結果をコンソール３０へ送信するが、コンソール３０では、送信結果を受信して、電子カセッテ２０に収容されている蓄電池１２０の特性に応じた制御を行うようになっている。
【００８７】
電子カセッテ２０に収容されている蓄電池１２０の特性に応じた制御としては、本実施の形態では、以下の（１）〜（３）に示す何れかの制御が可能とされている。なお、以下の何れの制御を行うかは、操作パネル８２によって設定可能としてもよい。また、蓄電池の特性に応じた制御としては、これに限るものではなく、他の制御を可能としてもよい。
【００８８】
（１）電子カセッテ２０に収容されている蓄電池１２０の特性が、静止画に適した特性である場合には静止画撮影に適していることを報知し（例えば、静止画撮影を促す）、動画に適した特性である場合には動画撮影に適していることを報知し（例えば、動画撮影を促す）、撮影が指示されたときに、電子カセッテ２０に収容された蓄電池１２０の特性に応じて、静止画撮影と動画撮影とを切り替えて撮影を開始する。
【００８９】
（２）静止画または動画撮影が指示されたときに、指示された撮影に適した特性の蓄電池１２０が電子カセッテ２０に収容されていない場合に、撮影を禁止して指示された撮影に適した特性の蓄電池に交換する旨を報知し、指示された撮影に適した特性の蓄電池１２０が電子カセッテ２０に収容されている場合に撮影を許可する。
【００９０】
（３）静止画または動画撮影が指示されたときに、指示された撮影に適した特性の蓄電池１２０が収納されていない場合に、スペックダウンして指示された撮影を行う。
【００９１】
続いて、上述のように構成された本発明の実施の形態に係わる撮影システム１６において、収容される蓄電池１２０の特性に応じた制御の具体的な処理について説明する。
【００９２】
図７は、本発明の実施の形態に係わる撮影システム１６において、電子カセッテ２０に収納された蓄電池１２０の特性に応じた制御を行う場合にコンソールで行われる処理（蓄電池１２０の特性を報知して特性に応じた撮影に切り替える場合）の流れの一例を示すフローチャートである。
【００９３】
ステップ２００では、蓄電池特性が取得されてステップ２０２へ移行する。すなわち、電子カセッテ２０で検出された蓄電池１２０の特性の検出結果を電子カセッテ２０より取得する。
【００９４】
ステップ２０２では、電子カセッテ２０に収納されている蓄電池１２０の特性が動画撮影用の特性であるか否か判定される。該判定は、静止画撮影用蓄電池１２０Ａが収納されている場合には判定が否定されてステップ２０４へ移行し、動画撮影用蓄電池１２０Ｂが収納されている場合には判定が肯定されてステップ２０６へ移行する。
【００９５】
ステップ２０４では、静止画撮影を促す表示がディスプレイ８０に行われてステップ２０８へ移行する。例えば、「静止画撮影用の蓄電池が収納されているので、静止画撮影を行います。動画撮影を行う場合には蓄電池を交換してください。」等のメッセージをディスプレイ８０に表示する。或いは、音声等で報知するようにしてもよい。
【００９６】
また、ステップ２０６では、動画撮影を促す表示がディスプレイ８０に行われてステップ２０８へ移行する。例えば、「動画撮影用の蓄電池が収納されているので、動画撮影を行います。静止画撮影を行う場合には蓄電池を交換してください。」等のメッセージをディスプレイ８０に表示する。或いは、音声等で報知するようにしてもよい。
【００９７】
ステップ２０８では、撮影が指示されたか否か判定され、該判定が否定された場合にはステップ２００に戻って上述の処理が繰り返され、判定が肯定された場合にはステップ２１０へ移行する。
【００９８】
ステップ２１０では、電子カセッテ２０に収納された蓄電池１２０の特性に応じた撮影に切り替えられて撮影が行われて一連の処理を終了する。すなわち、電子カセッテ２０に静止画撮影用の蓄電池１２０Ａが収納されている場合には静止画撮影に切替が行われて静止画撮影が行われ、電子カセッテ２０に動画撮影用の蓄電池１２０Ｂが収納されている場合には動画撮影に切替が行われて動画撮影が行われる。
【００９９】
このように上記処理では、電子カセッテ２０に収納された蓄電池１２０の特性を検出して、特性に応じた撮影（静止画撮影または動画撮影）を報知することができる。また、蓄電池の特性に応じた撮影に自動的に切り替えて撮影を行うことができる。
【０１００】
なお、上記の処理では、蓄電池１２０の特性に適した撮影を報知して、撮影指示時に自動的に切り替える処理としたが、蓄電池１２０に適している撮影を報知するまでの処理（上記の例では、蓄電池１２０の特性に適した撮影を促すように制御するまでの処理）としてもよい。
【０１０１】
図８は、本発明の実施の形態に係わる撮影システム１６において、電子カセッテ２０に収納された蓄電池１２０の特性に応じた制御を行う場合にコンソールで行われる（蓄電池１２０の特性に応じた撮影を許可する場合）の流れの一例を示すフローチャートである。
【０１０２】
ステップ３００では、蓄電池特性が取得されてステップ３０２へ移行する。すなわち、電子カセッテ２０で検出された蓄電池１２０の特性の検出結果を電子カセッテ２０より取得する。
【０１０３】
ステップ３０２では、電子カセッテ２０に収納されている蓄電池１２０の特性が動画撮影用の特性であるか否か判定される。該判定は、静止画撮影用蓄電池１２０Ａが収納されている場合には判定が否定されてステップ３０４へ移行し、動画撮影用蓄電池１２０Ｂが収納されている場合には判定が肯定されてステップ３１２へ移行する。
【０１０４】
ステップ３０４では、静止画撮影を促す表示がディスプレイ８０に行われてステップ３０６へ移行する。例えば、「静止画撮影用の蓄電池が収納されているので、静止画撮影を行います。動画撮影を行う場合には蓄電池を交換してください。」等のメッセージをディスプレイ８０に表示する。或いは、音声等で報知するようにしてもよい。
【０１０５】
ステップ３０６では、静止画撮影が指示されたか否か判定される。該判定は、操作パネル８２によって動画撮影が指示された場合には否定されてステップ３０８へ移行し、操作パネル８２によって静止画撮影が指示された場合には肯定されてステップ３１０へ移行する。
【０１０６】
ステップ３０８では、静止画撮影用蓄電池１２０Ａへの交換を促す報知が行われてステップ３００に戻って上述の処理が繰り返される。例えば、「動画用蓄電池が収納されているので、静止画撮影用蓄電池に交換してから撮影を開始してください。」等のメッセージをディスプレイ８０に表示したり、音声で報知する。
【０１０７】
また、ステップ３１０では、静止画用蓄電池１２０Ａが収納されて静止画が指示されたので、静止画撮影が行われて一連の処理を終了する。
【０１０８】
一方、ステップ３１２では、動画撮影を促す表示がディスプレイ８０に行われてステップ３１４へ移行する。例えば、「動画撮影用の蓄電池が収納されているので、動画撮影を行います。静止画撮影を行う場合には蓄電池を交換してください。」等のメッセージをディスプレイ８０に表示する。或いは、音声等で報知するようにしてもよい。
【０１０９】
ステップ３１４では、動画撮影が指示されたか否か判定される。該判定は、操作パネル８２によって静止画撮影が指示された場合には否定されてステップ３１６へ移行し、操作パネル８２によって動画画撮影が指示された場合には肯定されてステップ３１８へ移行する。
【０１１０】
ステップ３１６では、動画撮影用蓄電池１２０Ｂへの交換を促す報知が行われてステップ３００に戻って上述の処理が繰り返される。例えば、「静止画用蓄電池が収納されているので、動画撮影用蓄電池に交換してから撮影を開始してください。」等のメッセージをディスプレイ８０に表示したり、音声で報知する。
【０１１１】
また、ステップ３１８では、動画用蓄電池１２０Ｂが収納されて動画が指示されたので、動画撮影が行われて一連の処理を終了する。
【０１１２】
このように上記処理では、電子カセッテ２０に収納された蓄電池１２０の特性を検出して、特性に適した撮影が指示された場合に撮影を許可し、特性に適さない撮影が指示された場合には撮影が許可されず禁止されるので、電子カセッテ２０に収納された蓄電池１２０の特性に適した撮影を行うことができる。
【０１１３】
図９は、本発明の実施の形態に係わる撮影システム１６において、電子カセッテ２０に収納された蓄電池１２０の特性に応じた制御を行う場合にコンソールで行われる（スペックダウンして撮影を許可する場合）の流れの一例を示すフローチャートである。
【０１１４】
ステップ４００では、蓄電池特性が取得されてステップ４０２へ移行する。すなわち、電子カセッテ２０で検出された蓄電池１２０の特性の検出結果を電子カセッテ２０より取得する。
【０１１５】
ステップ４０２では、電子カセッテ２０に収納されている蓄電池１２０の特性が動画撮影用の特性であるか否か判定される。該判定は、静止画撮影用蓄電池１２０Ａが収納されている場合には判定が否定されてステップ４０４へ移行し、動画撮影用蓄電池１２０Ａが収納されている場合には判定が肯定されてステップ４１２へ移行する。
【０１１６】
ステップ４０４では、静止画撮影を促す表示がディスプレイ８０に行われてステップ４０６へ移行する。例えば、「静止画撮影用の蓄電池が収納されているので、静止画撮影を行います。動画撮影を行う場合には蓄電池を交換してください。」等のメッセージをディスプレイ８０に表示する。或いは、音声等で報知するようにしてもよい。
【０１１７】
ステップ４０６では、静止画撮影が指示されたか否か判定される。該判定は、操作パネル８２によって動画撮影が指示された場合には否定されてステップ３０８へ移行し、操作パネル８２によって静止画撮影が指示された場合には肯定されてステップ３１０へ移行する。
【０１１８】
ステップ４０８では、スペックダウン静止画撮影が行われて一連の処理を終了する。スペックダウン静止画撮影は、例えば、撮影に使用する領域を制限して撮影することで、蓄電池１２０の出力が足らなくなってしまうのを防止する。これにより、動画撮影用蓄電池１２０Ｂでも可能な限り静止画撮影を行えるようにする。
【０１１９】
また、ステップ４１０では、静止画用蓄電池１２０Ａが収納されて静止画が指示されたので、静止画撮影が行われて一連の処理を終了する。
【０１２０】
一方、ステップ４１２では、動画撮影を促す表示がディスプレイ８０に行われてステップ４１４へ移行する。例えば、「動画撮影用の蓄電池が収納されているので、動画撮影を行います。静止画撮影を行う場合には蓄電池を交換してください。」等のメッセージをディスプレイ８０に表示する。或いは、音声等で報知するようにしてもよい。
【０１２１】
ステップ４１４では、動画撮影が指示されたか否か判定される。該判定は、操作パネル８２によって静止画撮影が指示された場合には否定されてステップ４１６へ移行し、操作パネル８２によって動画画撮影が指示された場合には肯定されてステップ４１８へ移行する。
【０１２２】
ステップ４１６では、スペックダウン動画撮影が行われて一連の処理を終了する。スペックダウン動画撮影は、例えば、動画サンプリングレートを通常よりも低いレートにして撮影することで、蓄電池１２０の容量が足らなくなってしまうのを防止する。これにより、静止画撮影用蓄電池１２０Ａでも可能な限り動画撮影を行えるようにする。
【０１２３】
また、ステップ４１８では、動画用蓄電池１２Ｂが収納されて動画が指示されたので、動画撮影が行われて一連の処理を終了する。
【０１２４】
このように上記処理では、電子カセッテ２０に収納された蓄電池１２０の特性を検出して、特性に適した撮影が指示された場合に撮影を許可し、特性に適さない撮影が指示された場合にはスペックダウンして撮影を行うので、電子カセッテ２０に収納された蓄電池１２０の特性に適した撮影を行うことができる。
【０１２５】
なお、上記の実施の形態では、電子カセッテ２０として、バッテリを内蔵すると共に、未使用時にクレードル２８を介して当該バッテリに充電を行うものを適用した場合について説明したが、これに限定されるものではなく、例えば、交換可能なメインバッテリと筐体に内蔵された予備バッテリの２つのバッテリを備え、メインバッテリの交換中は予備バッテリからの給電により電子カセッテ２０を動作させることにより、起動中のバッテリの交換、所謂ホットスワップ（バッテリの活線挿抜）が可能とされた電子カセッテ２０を適用する形態としてもよい。これにより、バッテリの交換に際して、電子カセッテの電源をオフしないで済むため、再起動が不要となり、迅速なバッテリ交換が可能になる。
【０１２６】
また、上記の実施の形態における各フローチャートで示した処理は、ハードウエアで行う処理としてもよいし、プログラムとしてソフトウエアで行う処理としてもよい。また、プログラムとしてソフトウエアで行う場合には、各種記憶媒体に記憶して流通可能なようにしてもよい。
【０１２７】
また、上記の実施の形態では、蓄電池１２０を電子カセッテ２０に収容可能とした例を説明したが、収容する電池は蓄電池１２０に限らず、乾電池などの各種一次電池を収容可能としてもよい。すなわち、蓄電池だけではなく各種電池の特性を検出して上記の実施の形態と同様に、検出した特性に応じて制御するようにしてもよい。
【符号の説明】
【０１２８】
１６    放射線画像撮影システム
２０    電子カセッテ
２４    放射線発生装置
３０    コンソール
８０    ディスプレイ
８２    操作パネル
１２０    蓄電池
１２０Ａ    静止画用蓄電池
１２０Ｂ    動画用蓄電池
【図１】
2013130539.tif 000003
【図２】
2013130539.tif 000004
【図３】
2013130539.tif 000005
【図４】
2013130539.tif 000006
【図５】
2013130539.tif 000007
【図６】
2013130539.tif 000008
【図７】
2013130539.tif 000009
【図８】
2013130539.tif 000010
【図９】
2013130539.tif 000011